(57)【要約】【課題】十分な強度を確保しつつ、パイプ全体の外径を抑制すると共に、カラーが邪魔にならないリフトイン工法などの鞘管工法用パイプを提供すること。【解決手段】管本体１０と、この管本体１０の一端部に取り付けられたカラー２０とを備えると共に、カゴ型の管運搬台車２を使用して非開削で管路を更生するリフトイン工法などの鞘管工法に利用される鞘管工法用パイプ１であって、管本体１０は、強化プラスチックによって形成されると共に、一端部に中間部１１よりも外径の小さい受口側小径部１２を有し、カラー２０は、管本体１０よりも硬質な金属によって形成されると共に、受口側小径部１２に内周面が接着され且つ先端部が受口側小径部１２よりも軸方向に延在されている。【選択図】図３
2007255657.tif 000002
【特許請求の範囲】
【請求項１】
管本体と、この管本体の一端部に取り付けられたカラーとを備えると共に、管運搬台車を使用して非開削で管路を更生する鞘管工法に利用される鞘管工法用パイプであって、
前記管本体は、強化プラスチックによって形成されると共に、前記一端部に中間部よりも外径の小さい受口側小径部を有し、
前記カラーは、前記管本体よりも硬質な金属によって形成されると共に、前記受口側小径部に内周面が接着され且つ先端部が前記受口側小径部よりも軸方向に延在されていることを特徴とする鞘管工法用パイプ。
【請求項２】
前記カラーの内周面には、前記受口側小径部との間に介在される非膨張性パッキンと、この非膨張性パッキンに隣接する水膨張性パッキンとが設けられていることを特徴とする請求項１に記載の鞘管工法用パイプ。
【発明の詳細な説明】
【技術分野】
【０００１】
本発明は、管本体の一端部に取り付けられたカラーを備えると共に、管運搬台車を使用して非開削で管路を更生する鞘管工法に利用される鞘管工法用パイプに関するものである。
【背景技術】
【０００２】
従来から、強化プラスチック製推進管の一端に、同一軸心のカラーを嵌着して受口を形成した推進管継手が知られている（例えば、特許文献１参照）。
【０００３】
この推進管継手では、推進管の一端の外周面を管軸方向所要長さにわたって同一深さ欠如して他の部分よりも小径とし、この小径部にパッキングを介してカラーを嵌着している。
【０００４】
ここで、カラーと推進管との外径を同一にすると共に、推進管の一端の欠如深さをカラーの厚みとパッキングの圧縮厚みの和になるようにして、カラーの外周面と推進管の外周面とを面一にしている。
【特許文献１】特開２０００−２８０３６号公報
【発明の開示】
【発明が解決しようとする課題】
【０００５】
ところで、上述の推進管継手では、推進管及びカラーが共に強化プラスチックによって形成されており、十分な強度を確保するためにそれぞれの厚みを大きくしなければならず、推進管継手の全体の外径が非常に大きくなるという問題が生じていた。
【０００６】
特に、リフトイン工法などの鞘管工法では管路の断面積が比較的小さいために管全体の外径が大きくならないようにする必要があり、管の厚みが大きくなると、その分内径が小さくなって必要流量を確保できないおそれがあった。
【０００７】
そこで、この発明は、十分な強度を確保しつつ、パイプ全体の外径を抑制すると共に、カラーが邪魔にならない鞘管工法用パイプを提供することを課題としている。
【課題を解決するための手段】
【０００８】
上記課題を解決するために、請求項１に記載の発明は、管本体と、この管本体の一端部に取り付けられたカラーとを備えると共に、管運搬台車を使用して非開削で管路を更生する鞘管工法に利用される鞘管工法用パイプであって、前記管本体は、強化プラスチックによって形成されると共に、前記一端部に中間部よりも外径の小さい受口側小径部を有し、前記カラーは、前記管本体よりも硬質な金属によって形成されると共に、前記受口側小径部に内周面が接着され且つ先端部が前記受口側小径部よりも軸方向に延在されていることを特徴としている。
【０００９】
請求項２に記載の発明は、請求項１に記載の鞘管工法用パイプにおいて、前記カラーの内周面には、前記受口側小径部との間に介在される非膨張性パッキンと、この非膨張性パッキンに隣接する水膨張性パッキンとが設けられていることを特徴としている。
【発明の効果】
【００１０】
本願請求項１の発明によれば、カラーが管本体よりも硬質な金属によって形成されているので、厚みを大きくしなくとも十分な強度を確保することができ、管本体の厚みやカラーの厚みを抑制することができる。そのため、パイプの外径を抑制しつつ、内径を大きくして必要流量を確保することが可能となる。
【００１１】
また、カラーを管本体の一端部に設けられた受口側小径部に接着することで、カラーが管本体の外周面から径方向にほとんど突出することがなくなり、カラーが邪魔になることを防止できる。
【００１２】
これにより、鞘管工法の使用に有効な鞘管工法用パイプを提供することが可能となる。
【００１３】
本願請求項２の発明によれば、カラーの内周面と受口側小径部との間に非膨張性パッキンが介在されるので、カラーと管本体との間に隙間が生じず、確実に密着させることが可能となる。
【００１４】
さらに、非膨張性パッキンに隣接して水膨張性パッキンが設けられているので、他のパイプがカラー内に挿入された際に、この他のパイプとカラーとの間に水が浸入しても、この水により水膨張性パッキンが膨張する。
【００１５】
そのため、他のパイプとカラーとの間が確実に止水でき、漏水を防止することができる。
【発明を実施するための最良の形態】
【００１６】
次に、図面に基づいて、この発明を実施するための最良の実施の形態の鞘管工法用パイプを説明する。
【００１７】
図１において、１は本発明に係る鞘管工法用パイプ（以下、パイプという）であり、管本体１０と、この管本体１０の一端部に取り付けられたカラー２０とを備えている。
【００１８】
このパイプ１は、例えば非開削で管路を更生する鞘管工法の一つであるリフトイン工法に使用されるものである。
【００１９】
リフトイン工法とは、図５に示すように、カゴ型の管運搬台車２を使用して既設管Ｋ内の所定位置までパイプ１を運搬して管路を更生する工法である。
【００２０】
なお、カゴ型の管運搬台車２は、図５に示す低重心バッテリーカー３によって移動させられることが一般的であるが、既設管Ｋの内径が小さい場合やバッテリーカー３が使用できない場合は人力で運搬する。
【００２１】
このようなリフトイン工法により、軌条設置や台車設置スペースが不要になって管路の２サイズダウン更生が可能になると共に、パイプ１の長距離運搬が可能となる。そのため、施工工程や交通規制を抑制し、コスト減縮を図ることができる。
【００２２】
この鞘管工法に使用されるパイプ１の管本体１０は、繊維強化プラスチック（ＦＲＰ）によって形成されており、ここではガラス繊維、不飽和ポリエステル樹脂、硅砂を含む強化プラスチック複合管である。
【００２３】
この管本体１０は、図２に示すように、両端部の外周面が軸方向所定長さにわたって一定深さ削られ、それぞれ中間部１１よりも外径の小さい受口側小径部１２と、差口側小径部１３とが形成されている。
【００２４】
受口側小径部１２は、カラー２０が取り付けられて他のパイプ１が差し込まれる受口にされている。この受口側小径部１２の切削深さは、カラー２０の厚みと後述する非膨張性パッキン２１の厚みとの和にほぼ等しくされている。
【００２５】
差口側小径部１３は、先端に先細りとなるテーパ面１３ａが形成され、他のパイプ１に差し込まれる差口にされている。この差口側小径部１３の切削深さは、カラー２０の厚みと後述する水膨張性パッキン２２の厚みとの和にほぼ等しくされている。
【００２６】
カラー２０は、両端が開口した円筒形状を呈しており、管本体１０よりも硬質な金属によって形成されると共に、外周面２０ａ及び内周面２０ｂの全面にわたって腐食防止塗料（図示せず）が塗布されている。
【００２７】
さらに、このカラー２０の内周面２０ｂには、非膨張性ゴムにより形成された非膨張性パッキン２１と、水膨張性ゴムにより形成された水膨張性パッキン２２とが設けられている。
【００２８】
なお、「非膨張性ゴム」とは、水に浸されても水分を含まずに体積が変化しない性質を有するゴム材であり、「水膨張性ゴム」とは、水に浸されると水分を含んで体積が膨張する性質を有するゴム材のことである。
【００２９】
非膨張性パッキン２１は、表面が平坦なリング形状を呈しており、カラー２０の内周面２０ｂに接着剤（図示せず）で接着固定されている。また、この非膨張性パッキン２１の軸方向長さは、受口側小径部１２の軸方向長さと同じ長さになっている。
【００３０】
水膨張性パッキン２２は、表面に内側に向かって先細りになった断面三角形状の突条２２ａが複数設けられたリング形状を呈しており、非膨張性パッキン２１と隣接してカラー２０の内周面２０ｂに接着剤（図示せず）で接着固定されている。各突条２２ａは、それぞれ非膨張性パッキン２１側に向かって傾斜している。また、この水膨張性パッキン２２の軸方向長さは、差口側小径部１３の軸方向長さと同じ長さになっている。
【００３１】
そして、このカラー２０は、非膨張性パッキン２１の内周面が図示しない接着剤によって管本体１０の受口側小径部１２に接着固定されている。これにより、受口側小径部１２とカラー２０との間に非膨張性パッキン２１が介在される。
【００３２】
またこのとき、水膨張性パッキン２２が設けられたカラー２０の先端側は、受口側小径部１２よりも軸方向に突出するように延在されている。
【００３３】
次に、この発明の鞘管工法用パイプ１の作用について説明する。
【００３４】
このパイプ１を施工するには、まずパイプ１をカゴ型の管運搬台車２で担ぎ上げ、このカゴ型の管運搬台車２ごとバッテリーカー３によって既設管Ｋ内の所定位置まで運搬する。ここで、あらかじめ設けられた立坑Ｔからパイプ１やカゴ型の管運搬台車２、バッテリーカー３等を既設管Ｋ内に搬入する。
【００３５】
そして、あらかじめ既設管Ｋ内に設置されているパイプ１（以下、既設パイプ１という）に新たに搬入されたパイプ１´（以下、新設パイプ１´という）を接続する。
【００３６】
このパイプ１，１´の接続は、図４に示すように、既設パイプ１の受口側小径部１２に取り付けられたカラー２０内に、新設パイプ１´の差口側小径部１３´を挿入することで行われる。
【００３７】
ここで、水膨張性パッキン２２が挿入方向である非膨張性パッキン２１側に向かって傾斜しているので、差口側小径部１３´をカラー２０内に挿入すると、水膨張性パッキン２２が傾斜方向に撓んで差口側小径部１３´を円滑に挿入することができる。
【００３８】
なお、この差口側小径部１３´の先端にテーパ面１３ａが形成されているので、さらに円滑に挿入することができる。
【００３９】
そして、カラー２０内に挿入された差口側小径部１３´は既設パイプ１の受口側小径部１２の端面に突き当てられ、既設パイプ１の管本体１０の内周面と、新設パイプ１´の管本体１０´の内周面とが面一になる。
【００４０】
一方、差口側小径部１３´は、切削深さがカラー２０の厚みと水膨張性パッキン２２の厚みとの和にほぼ等しくされているので、新設パイプ１´の管本体１０´の外周面とカラー２０の外周面とがほぼ面一になる。
【００４１】
さらに、受口側小径部１２は、切削深さがカラー２０の厚みと非膨張性パッキン２１の厚みとの和にほぼ等しくされているので、既設パイプ１の管本体１０の外周面とカラー２０の外周面とがほぼ面一になっている。
【００４２】
これにより、カラー２０が管本体１０，１０´の外周面から径方向にほとんど突出することがなくなり、カラー２０が新設パイプ１´の施工時に邪魔になることを防止できる。特に、既設管Ｋが湾曲している場合に、カラー２０が引っかかることがなくなり容易に既設パイプ１及び新設パイプ１´を通過させることが可能となる。
【００４３】
また、カラー２０が管本体１０、１０´よりも硬質な金属によって形成されているので、カラー２０や管本体１０、１０´の厚みを大きくすることなく十分な強度を確保することができる。そのため、既設パイプ１及び新設パイプ１´の外径を抑制しつつ、内径を大きくして必要流量を確保することが可能となる。
【００４４】
さらに、カラー２０の内周面と受口側小径部１２との間に非膨張性パッキン２１が介在されているので、カラー２０と管本体１０との間に隙間が生じず、確実に密着させることが可能となる。
【００４５】
特に、ここでは非膨張性パッキン２１が受口側小径部１２に接着剤によって接着固定されているので、密着性を向上して漏水を確実に防止することができる。
【００４６】
そして、非膨張性パッキン２１に隣接して水膨張性パッキン２２が設けられているので、新設パイプ１´の差口側小径部１３´がカラー２０内に挿入された際に、新設パイプ１´とカラー２０との間に水が浸入しても、この侵入した水により水膨張性パッキン２２が膨張する。
【００４７】
そのため、新設パイプ１´とカラー２０との間が確実に止水でき、漏水を防止することができる。
【図面の簡単な説明】
【００４８】
【図１】この発明に係る鞘管工法用パイプの全体を示す側面図である。
【図２】図１に示す鞘管工法用パイプの断面図である。
【図３】図２に示すＡ部の拡大図である。
【図４】既設パイプと新設パイプとを接合したときの要部拡大断面図である。
【図５】リフトイン工法の概要を示す説明図である。
【符号の説明】
【００４９】
１      鞘管工法用パイプ
２      カゴ型の管運搬台車
１０    管本体
１１    中間部
１２    受口側小径部
２０    カラー
【図１】
2007255657.tif 000003
【図２】
2007255657.tif 000004
【図３】
2007255657.tif 000005
【図４】
2007255657.tif 000006
【図５】
2007255657.tif 000007